(57)【特許請求の範囲】
【請求項１】
所定長さの基体部と、前記基体部の長手方向における両端部の両外側面にそれぞれ設けられた電線引込側突起及び電線引出側突起と、前記基体部の前記電線引込側突起と前記電線引出側突起の間の両外側面にそれぞれ設けられた中間突起とを備え、
前記電線引込側突起と前記電線引出側突起と前記中間突起のそれぞれの先端に庇部を設け、該各庇部とこれらと対向する前記基体部の各外側面との間に前記基体部の短手方向で順に反対向きになるように電線を掛けるための凹溝を形成し、
前記電線引込側突起及び前記電線引出側突起の各庇部は前記基体部の長手方向に沿ってそれぞれ外方へ延設されると共にそれら庇部の先端部に該基体部の長手方向に対して直交する面内で内側に屈曲する掛け止め片部を設け、
さらに前記電線引込側突起の掛け止め片部は前記基体部の中心軸線に対し該電線引込側突起の凹溝側に偏らせて位置するようにしたことを特徴とするＤＶ線引留具。
【発明の詳細な説明】
【技術分野】
【０００１】
本発明は、電柱間に架設した電線から分岐され各家屋等の建物に引き込む際に使用される電線引込用のＤＶ線引留具に関するものである。
【背景技術】
【０００２】
従来のこの種のＤＶ線引留具は、所定長さの基体部における長手方向に沿った両端部の両外側面にそれぞれ先端に庇部を有する突起を設け、前記各庇部とこれらと対向する前記基体部の外側面との間に電線を掛けるための凹溝を設けて構成されている（例えば、特許文献１参照。）。そして、基体部の一側に取着された引留金具を例えば建物の軒下に掛け止めすると共に電線をＤＶ線引留具の各凹溝に巻回して引き留めるようにしている。
【０００３】
【特許文献１】実開昭５５−９３９２０号公報（第１頁、図４）
【発明の開示】
【発明が解決しようとする課題】
【０００４】
更に詳しく説明すると、電線引込側から引き込まれた電線を両端部の突起間に丁度８の字を描くようにして巻き付けてから、建物側（電線引出側）へ引き出すようにしている。しかしながら、通常、前記電線は非常に硬くしかも弾力性がある。このため、前記のように近い距離間で電線を８の字状に屈曲させて巻くことは、曲げるに非常に強い力と労力を要し作業がしずらく、作業能率が非常に劣るという課題が有った。
【０００５】
そこで、本発明は前記課題を解決すべくなされたもので、電線を側面略Ｍ字状に屈曲させるのみでＤＶ線引留具に引き留められるようにして、作業性の向上を図ることができるようにしたＤＶ線引留具を提供することを目的とするものである。
【課題を解決するための手段】
【０００６】
かかる目的を達成するために本発明に係るＤＶ線引留具は、所定長さの基体部の長手方向における両端部の両外側面にそれぞれ先端に庇部を有する突起を設け、前記各庇部とこれらと対向する前記基体部の各外側面との間に電線を掛けるための凹溝を設け、前記両端部の各庇部は基体部の長手方向に沿ってそれぞれ外方へ延設されると共にそれら庇部の先端部に該基体部の長手方向に対して直交する面内で内側に屈曲する掛け止め片部を設け、前記両端部の突起間に位置して前記両外側面に先端に庇部を有する中間突起を設け、前記各中間突起の庇部とこれらと対向する前記基体部の外側面との間に電線を掛けるための凹溝を設けたことを特徴とする。
【０００７】
また、この際、前記各凹溝は、前記基体部の長手方向にあっては順に上面と下面の交互に設けられ、かつ、前記基体部の長手方向と直交する方向にあっては一方が上面に設けられ他方が下面に設けられていることが好ましい。
【０００８】
この際、前記ＤＶ線引留具は、通常、碍子により一体に成形される。ただ、軽量化、取り扱い易さを考慮すると、合成樹脂により成形するようにしても良い。
【発明の効果】
【０００９】
本発明に係るＤＶ線引留具は、所定長さの基体部の長手方向における両端部の両外側面にそれぞれ先端に庇部を有する突起を設け、各庇部とこれらと対向する基体部の各外側面との間に電線を掛けるための凹溝を設け、両端部の各庇部は基体部の長手方向に沿ってそれぞれ外方へ延設されると共にそれら庇部の先端部に該基体部の長手方向に対して直交する面内で内側に屈曲する掛け止め片部を設け、両端部の突起間に位置して両外側面に先端に庇部を有する中間突起を設け、各中間突起の庇部とこれらと対向する基体部の外側面との間に電線を掛けるための凹溝を設けた構成からなる。そこで、電線引込側から引き込まれた電線は、両端部の各掛け止め片部及び中間の各凹溝に順に上下に曲げ側面略Ｍ字状となる状態でＤＶ線引留具に引き留められるので、電線にテンションが加わっても電線の長手方向におけるズレがない。しかも、ＤＶ線引留具の長手方向の両端部で電線が掛け止め片部に掛けられるので、電線がその部位でも屈曲され緩みや外れが防止される。これにより、近い距離間であってもその曲げに強い力を必要とせず、ズレや緩みが発生することなく容易に電線を引き留めることができ、作業能率が向上するという有益な効果を有する。
【００１０】
また、各凹溝を、基体部の長手方向にあっては順に上面と下面の交互に設け、かつ、基体部の長手方向と直交する方向にあっては一方を上面に設け他方を下面に設けるようにすれば、作業者がＤＶ線引留具を片手で持って基体部の長手方向と直交する一外側面の各凹溝に電線を掛けた後に、該ＤＶ線引留具をその基体部の長手方向と直交する面内で１８０度回転させることにより、前記一外側面と同じ側には回転前と同じ上下位置となる凹溝が現れる。よって、ＤＶ線引留具の回転後も初めと同じ手順で各凹溝に電線を掛ければよく、例えば利き腕で総て作業ができることになり、電線が巻き付け易く作業が簡単になるという効果を有する。
【発明を実施するための最良の形態】
【００１１】
以下、本発明に係るＤＶ線引留具の実施の形態を図面と共に説明する。このＤＶ線引留具Ａは、低圧引込線に使用されるものである。図１は本発明に係るＤＶ線引留具の上から見た斜視図、図２は同正面図、図３は同平面図、図４（イ）は同右側面図、（ロ）は同一部断面にした左側面図である。ＤＶ線引留具Ａは、合成樹脂材により成形されるが、これは軽量化を図ったものであって、差し支えなければ碍子により一体に成形するようにしても良い。該ＤＶ線引留具Ａは、所定長さ（例えば、９５ｍｍ）の基体部１を有する。該基体部１は、その長手方向における電線引出側ｂに上下に貫通する取付孔２が設けられる。これは後記する引留金具７を挿通して取着するためのものである。
【００１２】
そして、前記基体部１における長手方向に沿った両端部の両外側面１ａ，１ａにそれぞれ先端に庇部３ａ，３ｂを有する突起４ａ，４ｂが設けられる。図３に示すように両外側面１ａ，１ａの両側の形状は長手方向に沿った中心軸線Ｏを中心として対称形をなすので、その一方の外側面１ａ側についてのみ説明する。
【００１３】
電線引込側ａの突起４ａは、その中心軸線に対して直交する断面が方形状をなし、基体部１の水平な中心軸線Ｏより下方に位置している。該突起４ａの先端の庇部３ａは、突起４ａの先端から上方へ同じ幅で突出し、その上端縁が基体部１の上面１ｂと一致する。これにより、庇部３ａとこれと対向する基体部１の外側面１ａとの間であって突起４ａの上方に後記する電線Ｄを掛けるための凹溝５ａが設けられる。また、前記庇部３ａはそのまま電線引込側ａに延設され、その先端部に基体部１の長手方向に対して直交する面内で内側に屈曲する掛け止め片部６ａが一体に設けられる。基体部１の中心軸線Ｏを挟んで左右両側に位置する掛け止め片部６ａ，６ａは、それら先端面が互いに電線Ｄが介入できる間隔を離して対向位置している。この掛け止め片部６ａは、基体部１の中心軸線Ｏよりも上方にある。
【００１４】
一方、電線引出側ｂの突起４ｂは、その中心軸線に対して直交する断面が前記突起４ａの断面よりも小さい方形状をなし、基体部１の水平な中心軸線Ｏと同じ位置にある。該突起４ｂ先端の庇部３ｂは、突起４ｂの先端から電線引込側ａを除いてその周囲全体を覆うように周設され、その上下端縁は基体部１の上下面１ｂ，１ｃよりも外側へ食み出ている。これにより、庇部３ｂとこれと対向する基体部１の外側面１ａとの間に、凹溝５ｂが設けられる。また、前記庇部３ｂもそのまま電線引出側ｂに延設され、その先端部に基体部１の長手方向に対して直交する面内で内側に屈曲する掛け止め片部６ｂが一体に設けられる。基体部１の中心軸線Ｏを挟んで左右両側に位置する掛け止め片部６ｂ，６ｂも、それら先端面が互いに電線Ｄが介入できる間隔を離して対向位置している。この掛け止め片部６ｂは、基体部１の中心軸線Ｏと同じ位置にある。
【００１５】
また、前記電線引込側ａと電線引出側ｂとの両端部の突起４ａ，４ｂ間に位置して基体部１の外側面１ａに、先端に庇部３ｃを有する中間突起４ｃが設けられる。該中間突起４ｃの前記中心軸線Ｏに対して直交する断面は縦長の矩形状をなし、基体部１の水平な中心軸線Ｏよりもやや上方に位置している。該中間突起４ｃの先端の庇部３ｃは、中間突起４ｃの先端からそのまま下方へ突設され、その下端縁は基体部１の下面１ｃと一致する。これにより、庇部３ｃとこれと対向する基体部１の外側面１ａとの間に凹溝５ｃが設けられる。図３に示すように前記各凹溝５ａ，５ｂ，５ｃは、平面的に見た場合、基体部１の外側面１ａに沿って一直線上に設けられる。７は前記取付孔２に挿入して取り付けられる引留金具であり、一本の線材を屈曲させ、基端部を湾曲させると共に先端部を互いに接離自在に重ね合わせて成形される。
【００１６】
本発明に係るＤＶ線引留具Ａは上記構成からなり、図５、図６に基づき作用を説明する。図５中、Ｈは建物としての家屋であり、その壁側に固着された曲アームＭの先端に前記引留金具７が連結されるようにしてＤＶ線引留具Ａが取り付けられ、電柱（図示せず。）間に架設された電線から分岐される所謂ＤＶ線ＤがＤＶ線引留具Ａに引き留められることになる。なお、この場合、ＤＶ線Ｄは２本引き出されている。
【００１７】
そこで、図６に示すように、ＤＶ線Ｄの一本をＤＶ線引留具Ａの電線引込側ａから基体部１の一方の外側面に引き込んで、掛け止め片部６ａの下側、突起４ａの上側の凹溝５ａ、中間突起４ｃの下側の凹溝５ｃ、突起４ｂの上側の凹溝５ｂ、電線引出側ｂの掛け止め片部６ｂの下側に順に挿通する。他の一本のＤＶ線Ｄについても、基体部１の他方の外側面に引き込んで同様に挿通する。これら二本のＤＶ線Ｄは正面から見て共に同じ方向へ屈曲する。引き出された二本のＤＶ線Ｄは、家屋Ｈ側へ導かれる。
【００１８】
このように、ＤＶ線引留具Ａに電線引込側ａから引き込まれた二本のＤＶ線Ｄが、それぞれ掛け止め片部６ａの下側、突起４ａの上側、中間突起４ｃの下側、突起４ｂの上側、掛止め片部６ｂの下側といったように各凹溝５ａ，５ｂ，５ｃに挿通され、側面略Ｍ字状、この場合は特に側面略ダブルＭ字状に屈曲されるので、ＤＶ線Ｄにテンションが加わっても緩みがほとんど無い。しかも、ＤＶ線引留具Ａの電線引込側ａと電線引出側ｂとで、ＤＶ線Ｄが掛け止め片部６ａ，６ｂに掛けられるので、ＤＶ線Ｄがその部位で屈曲されて緩みや外れが防止される。このように、各ＤＶ線Ｄをほぼ９０度程度に屈曲させるのみで済み、従来のように８の字状に巻く必要が無いことから、近い距離間であってもその曲げに強い力を必要とせず、ズレや緩みが発生することなく容易に電線を引き留めることができる。
【００１９】
図７乃至図１１は、他の実施の形態に係るＤＶ線引留具Ｂを示す。このＤＶ線引留具Ｂも低圧引込線に使用され、合成樹脂材により成形され軽量化を図っているが、差し支えなければ従来のように碍子により成形するようにしても良い。図７は他の実施の形態に係るＤＶ線引留具の上から見た斜視図、図８は同正面図、図９は同平面図、図１０（イ）は図８のＸ−Ｘ線端面図、同（ロ）は図８のＹ−Ｙ線端面図、同（ハ）は図８のＺ−Ｚ線端面図である。該ＤＶ線引留具Ｂは、本発明に係るＤＶ線引留具Ａとほとんど同じ形状からなり、所定長さ（例えば、９５ｍｍ）の基体部１１を有する。該基体部１１は、その長手方向における電線引出側ｂに上下に貫通する取付孔１２が設けられる。これは後記する引留金具１７を挿通して取着するためのものである。
【００２０】
そして、前記基体部１１における長手方向に沿った両端部の両外側面１１ａ，１１ａにそれぞれ先端に庇部１３ａ，１３ｂを有する突起１４ａ，１４ｂが設けられる。図９に示すように両外側面１１ａ，１１ａの両側の形状は長手方向に沿った中心軸線Ｏを中心としてほぼ対称形をなすので、先に一方の外側面１ａ側について説明する。
【００２１】
電線引込側ａの突起１４ａは、その中心軸線Ｏに対して直交する断面が縦長の矩形状をなし、基体部１の水平な中心軸線Ｏよりもやや下方に位置している。該突起１４ａの先端の庇部１３ａは、突起１４ａの先端から下方を除いて周囲全体に突出される。また、その上下端縁が基体部１１の上下面１１ｂ，１１ｃと一致する。これにより、庇部１３ａとこれと対向する基体部１１の外側面１１ａとの間であって突起１４ａの上方に電線Ｄを掛けるための凹溝１５ａが設けられる。また、前記庇部１３ａはそのまま電線引込側ａに延設され、その先端部に基体部１１の長手方向に対して直交する面内で内側に屈曲する掛け止め片部１６ａが一体に設けられる。該掛け止め片部１６ａは、基体部１１の中心軸線Ｏよりも上方にある。
【００２２】
一方、電線引出側ｂの突起１４ｂは、その中心軸線Ｏに対して直交する断面が前記突起１４ａの断面とほぼ同じ大きさの方形状をなし、基体部１１の水平な中心軸線Ｏよりもやや下方に位置している。該突起１４ｂ先端の庇部１３ｂは、突起１４ｂの先端から電線引込側ａと下面側を除いてその周囲全体を覆うように周設され、その上下端縁は基体部１の上下面１ｂ，１ｃと一致する。これにより、庇部１３ｂとこれと対向する基体部１１の外側面１１ａとの間であって突起１４ｂの上方に凹溝１５ｂが設けられる。また、該庇部１３ｂもそのまま電線引出側ｂに延設され、その先端部に基体部１１の長手方向に対して直交する面内で内側に屈曲する掛け止め片部１６ｂが一体に設けられる。この掛け止め片部１６ｂは、基体部１の中心軸線Ｏよりも上方にある。
【００２３】
また、前記電線引込側ａと電線引出側ｂとの両端部の突起１４ａ，１４ｂ間に位置して基体部１１の外側面１１ａに、先端に庇部１３ｃを有する中間突起１４ｃが設けられる。該中間突起１４ｃの前記中心軸線Ｏに対して直交する断面は縦長の矩形状をなし、基体部１１の水平な中心軸線Ｏよりもやや上方に位置している。該中間突起１４ｃの先端の庇部１３ｃは、中間突起１４ｃの先端からそのまま下方へ突設され、その下端縁は基体部１１の下面１１ｃと一致する。これにより、庇部１３ｃとこれと対向する基体部１の外側面１１ａとの間であって突起１４ｃの下方に凹溝１５ｃが設けられる。前記各凹溝１５ａ，１５ｂ，１５ｃは、平面的に見た場合、基体部１１の外側面１１ａに沿って一直線上に設けられる。１７は前記取付孔１２に挿入して取り付けられる引留金具であり、一本の線材を屈曲させ、基端部を湾曲させると共に先端部を互いに接離自在に重ね合わせて成形される。
【００２４】
一方、基体部１１の他方の外側面１１ａにも、その両端部に前記と同じ突起１４ａ，１４ｂが設けられると共にそれら先端部に同じ庇部１３ａ，１３ｂが設けられる。また、両突起１４ａ，１４ｂ間における基体部１１の他方の外側面１１ａにも中間突起１４ｃが設けられ、同様にその先端部に同じ庇部１３ｃが設けられている。ただ、基体部１１の一方の外側面１１ａ側と他方の外側面１１ａ側との相違は、一方の外側面１１ａ側の両庇部１３ａ，１３ｂにおける掛け止め片部１６ａ，１６ｂが中心軸線Ｏより上方に位置しているのに対し、他方の外側面１１ａ側の両庇部１３ａ，１３ｂにおける掛け止め片部１６ａ，１６ｂは中心軸線Ｏより下方に位置している。また、後で詳しく説明するが、一方の外側面１１ａ側の両端部の突起１４ａ，１４ｂに対応する凹溝１５ａ，１５ｂがその上面に  設けられると共に中間突起１４ｃに対応する凹溝１５ｃがその下面に設けられている。これに対し、他方の外側面１１ａ側の両端部の突起１４ａ，１４ｂに対応する凹溝１５ａ，１５ｂがその下面に設けられると共に中間突起１４ｃに対応する凹溝１５ｃがその上面に設けられている。
【００２５】
前記凹溝１５ａ，１５ｂ，１５ｃについて更に詳しく説明する。すなわち、図７のＤＶ線引留具Ｂを見てその一側である上側では、電線引出側ｂである引留金具１７寄りの両外側面１１ａ，１１ａの設けられた突起１４ｂ，１４ｂの内、中心軸線Ｏを中心とし引留金具１７側から基体部１１を見た場合、図１０（イ）に示すようにその右側上面に凹溝１５ｂが設けられるが、左側上面には凹溝１５ｂが設けられていない。また、電線引込側ａの両外側面１１ａ，１１ａに設けられた突起１４ａ，１４ａの内、中心軸線Ｏを中心とし引留金具１７側から基体部１１を見た場合、図１０（ハ）に示すようにその右側上面に凹溝１５ａが設けられるが、左側上面には凹溝１５ａが設けられていない。更に、基体部１１の両外側面１１ａ，１１ａであって前記前後の突起１４ａ，１４ｂ間に設けられた中間突起１４ｃ，１４ｃの内、中心軸線Ｏを中心として引留金具１７から基体部１１を見た場合、図１０（ロ）に示すようにその右側上面に凹溝１５ｃが設けられておらず、左側上面に凹溝１５ｃが設けられている。
【００２６】
一方、図７のＤＶ線引留具Ｂを見てその一側である下側では、電線引出側ｂである引留金具１７寄りの両外側面１１ａ，１１ａに設けられた突起１４ｂ，１４ｂの内、中心軸線Ｏを中心とし引留金具１７側から基体部１１を見た場合、図１０（イ）に示すようにその左側下面に凹溝１５ｂが設けられるが、右側下面には凹溝１５ｂが設けられていない。また、電線引込側ａの両外側面１ａ，１ａに設けられた突起１４ａ，１４ａの内、中心軸線Ｏを中心とし引留金具１７側から基体部１１を見た場合、図１０（ハ）に示すようにその左側下面に凹溝１５ａが設けられるが、右側下面には凹溝１５ａが設けられていない。更に、基体部１１の両外側面１１ａ，１１ａであって前記前後の突起１４ａ，１４ｂ間に設けられた中間突起１４ｃ，１４ｃの内、中心軸線Ｏを中心として引留金具１７側から基体部１１を見た場合、図１０（ロ）に示すようにその左側下面に凹溝１５ｃは設けられておらず、右側下面に凹溝５ｃが設けられる。
【００２７】
他の実施の形態に係るＤＶ線引留具Ｂは上記構成からなり、次にその使用方法を説明する。該ＤＶ線引留具Ｂも本発明に係るＤＶ線引留具Ａと同じく図５に示すように家屋Ｈの壁側に固着された曲アームＭの先端に引留金具１７を連結するようにして取り付けられる。そして、電柱（図示せず。）間に架設された電線から分岐されるＤＶ線ＤがＤＶ線引留具Ｂに引き留められる。なお、この場合、ＤＶ線Ｄは２本引き出されている。
【００２８】
そこで、作業者が右利きの場合、引留金具１７側に位置して左手でＤＶ線引留具Ｂを持つと共に右手で一本のＤＶ線Ｄを持ち、図１１に示すように、そのＤＶ線ＤをＤＶ線引留具Ｂの電線引込側ａから、掛け止め片部１６ａの下側、突起１４ａの上側の凹溝１５ａ、中間突起１４ｃの下側の凹溝１５ｃ、突起１４ｂの上側の凹溝１５ｂ、電線引出側ｂの掛け止め片部１６ｂの下側に順に挿通する。このようにしてＤＶ線Ｄの掛け止めが終了したら、該ＤＶ線引留具Ｂをその中心軸線Ｏに対し直交する面内で一方へ１８０度回転させ、左側と右側とを反転させる。
【００２９】
これにより、作業者からＤＶ線引留具Ｂを見た場合、中心軸線Ｏを中心としてその右側に前記と同じように各凹溝１５ａ，１５ｂ，１５ｃが位置する。よって、二本目のＤＶ線Ｄを右手で持って、図１１に示すように前記と全く同じ手順で、ＤＶ線引留具Ｂの電線引込側ａから掛け止め片部１６ａの下側、突起１４ａの上側の凹溝１５ａ、中間突起１４ｃの下側の凹溝１５ｃ、突起１４ｂの上側の凹溝１５ｂ、電線引出側ｂの掛け止め片部１６ｂの下側に順に挿通する。これによりＤＶ線Ｄの掛け止め作業が終了する。このように、作業者が右利きの場合は、いずれの２本のＤＶ線Ｄも利き手で、しかも、同じ作業によりＤＶ線引留具Ｂに掛け止めできることになり、作業性が極めて良い。
【００３０】
逆に、作業者が左利きの場合は、引留金具１７側に位置して右手でＤＶ線引留具Ｂを持つと共に左手で一本のＤＶ線Ｄを持ち、そのＤＶ線ＤをＤＶ線引留具Ｂの電線引込側ａから、掛け止め片部１６ａの上側、突起１４ａの下側の凹溝１５ａ、中間突起１４ｃの上側の凹溝１５ｃ、突起１４ｂの下側の凹溝１５ｂ、電線引出側ｂの掛け止め片部６ｂの上側に順に挿通する。このようにしてＤＶ線Ｄの掛け止めが終了したら、該ＤＶ線引留具Ｂをその中心軸線Ｏに対し直交する面内で一方へ１８０度回転させ、左側と右側とを反転させる。後は、前記と同じように各凹溝１５ａ，１５ｂ，１５ｃにＤＶ線Ｄを挿通してＤＶ線引留具Ｂに掛け止めする。これら二本のＤＶ線Ｄは、正面から見て互いに上下逆方向へ屈曲する。
【００３１】
この場合も、ＤＶ線引留具Ｂに電線引込側ａから引き込まれたＤＶ線Ｄが、側面略ダブルＭ字状に屈曲されるので、ＤＶ線Ｄにテンションが加わってもＤＶ線Ｄの長手方向におけるズレがない。しかも、ＤＶ線引留具Ｂの長手方向の両端部でＤＶ線Ｄが掛け止め片部１６ａ，１６ｂに掛けられるので、ＤＶ線Ｄがその部位でも屈曲され緩みや外れが防止される。これにより、近い距離間であってもその曲げに強い力を必要とせず、ズレや緩みが発生することなく容易にＤＶ線Ｄを引き留めることができ、作業能率が向上する。
【００３２】
特に、他の実施の形態に係るＤＶ線引留具Ｂでは、各凹溝１５ａ，１５ｂ，１５ｃを、基体部１１の長手方向にあっては順に上面と下面の交互に設け、かつ、基体部１１の長手方向と直交する方向にあっては一方を上面に設け他方を下面に設けるようにしているので、作業者がＤＶ線引留具Ｂを片手で持って基体部１１の長手方向と直交する一外側面１１ａの各凹溝１５ａ，１５ｂ，１５ｃにＤＶ線Ｄを掛けた後に、該ＤＶ線引留具Ｂをその基体部１１の長手方向と直交する面内で１８０度回転させることにより、前記一外側面１１ａと同じ側に回転前と同じ上下位置となる凹溝１５ａ，１５ｂ，１５ｃが現れる。よって、ＤＶ線引留具Ｂの回転後も初めと同じ手順で凹溝１５ａ，１５ｂ，１５ｃにＤＶ線Ｄを掛ければよく、例えば利き腕で総て作業ができることになり、電線が巻き付け易く作業が簡単になる。
【図面の簡単な説明】
【００３３】
【図１】本発明に係るＤＶ線引留具の上から見た斜視図。
【図２】同正面図。
【図３】同平面図。
【図４】（イ）は同右側面図、（ロ）は同一部を断面にした左側面図。
【図５】同ＤＶ線引留具の使用状態図。
【図６】同使用状態を示す要部の断面図。
【図７】他の実施の形態に係るＤＶ線引留具の上から見た斜視図。
【図８】同正面図。
【図９】同平面図。
【図１０】（イ）は図８のＸ−Ｘ線端面図、（ロ）は図８のＹ−Ｙ線端面図、（ハ）は図８のＺ−Ｚ線端面図。
【図１１】同使用状態を示す要部の断面図。
【符号の説明】
【００３４】
１              基体部
１ａ            外側面
１ｂ            上面
１ｃ            下面
３ａ            庇部
３ｂ            庇部
３ｃ            庇部
４ａ            突起
４ｂ            突起
４ｃ            中間突起
５ａ            凹溝
５ｂ            凹溝
５ｃ            凹溝
６ａ            掛け止め片部
６ｂ            掛け止め片部
１１            基体部
１１ａ          外側面
１３ａ          庇部
１３ｂ          庇部
１３ｃ          庇部
１４ａ          突起
１４ｂ          突起
１４ｃ          中間突起
１５ａ          凹溝
１５ｂ          凹溝
１５ｃ          凹溝
１６ａ          掛け止め片部
１６ｂ          掛け止め片部
Ａ              ＤＶ線引留具
ａ              電線引込側
Ｂ              ＤＶ線引留具
ｂ              電線引出側
Ｄ              電線（ＤＶ線）
Ｏ              中心軸線
【図１】
0005192262.tif 000002
【図２】
0005192262.tif 000003
【図３】
0005192262.tif 000004
【図４】
0005192262.tif 000005
【図５】
0005192262.tif 000006
【図６】
0005192262.tif 000007
【図７】
0005192262.tif 000008
【図８】
0005192262.tif 000009
【図９】
0005192262.tif 000010
【図１０】
0005192262.tif 000011
【図１１】
0005192262.tif 000012